(57)【要約】      （修正有）【課題】部品点数が増加することなく、コードの断線を防止可能とするヒンジを提供する。【解決手段】ヒンジ５は、第１ヒンジ本体１１、第２ヒンジ本体１２を有する。第２ヒンジ本体１２の、接続部１７と右ヒンジ部１８との間に、第１ヒンジ本体１１の内部から第１ヒンジ部１８の内部を介して、接続部１７の内部に配線されるコードを逃がすためのコード逃がし部２２が設けられている。【選択図】図３
2015025520.tif 000002
【特許請求の範囲】
【請求項１】
互いの間にコードが配線される２つの被結合部材の間に介在して、前記２つの被結合部材相互の角度を任意に回動固定させるヒンジであって、
一方の前記被結合部材に接続される第１ヒンジ本体と、
他方の前記被結合部材に接続される接続部と、前記第１ヒンジ本体と摺動し、且つ、その両端を挟み込む第１ヒンジ部及び第２ヒンジ部と、を有する第２ヒンジ本体と、
前記第１ヒンジ本体の内部に配設される付勢部材と、
前記第１ヒンジ本体、及び、前記第２ヒンジ本体を回動自在に結合する結合部材と、
を有し、
前記接続部と前記第１ヒンジ部との間又は前記接続部と前記第２ヒンジ部との間のいずれか一方に、その内部を介して、前記接続部の内部に配線されるコードを逃がすためのコード逃がし部が設けられていることを特徴とするヒンジ。
【請求項２】
前記第１ヒンジ本体に、前記第２ヒンジ本体の回動を規制する規制部材が設けられていることを特徴とする請求項１に記載のヒンジ。
【請求項３】
前記コード逃がし部は、前記接続部に向かってテーパーとなっていることを特徴とする請求項１又は２に記載のヒンジ。
【請求項４】
請求項１〜３のいずれか１項に記載のヒンジを備えることを特徴とする電気スタンド。
【発明の詳細な説明】
【技術分野】
【０００１】
本発明は、ヒンジ及び電気スタンドに関する。
【背景技術】
【０００２】
従来、可動アームを有する電気スタンドが知られている。特許文献１に記載の電気スタンドにおいては、灯具部と本体部とが可動アームで連結されている。ここで、可動アームと灯具部、可動アームと本体部は、それぞれ、自在ヒンジ（ヒンジ）により連結されている。この自在ヒンジにより、可動アームは、灯具部、及び、本体部に対して可動するようになっている。また、可動アーム及び自在ヒンジの内部には、灯具部と本体部とを接続するためのコードが配線されている。
【０００３】
上記の自在ヒンジは、互いの間にコードが配線される２つの被結合部材（可動アームと灯具部、可動アームと本体部）の間に介在してこれらの被結合部材相互の角度を任意に可動固定する。図６は、従来の自在ヒンジの概略構成を示す分解斜視図である。図６に示すように、自在ヒンジ１００は、一方の被結合部材（可動アーム）に配設される略円筒状の中央ヒンジ主体１０１と、他方の被結合部材（灯具部、又は、本体部）に配設されて、中央ヒンジ主体１０１の略円筒外面と摺動し、且つ、その両端を挟み込む右ヒンジ主体１０２及び左ヒンジ主体１０３とを有している。これらのヒンジ主体１０１、１０２、及び、１０３の中心が回動自在にネジ１０４ａ、１０４ｂにより結合されている。また、中央ヒンジ主体１０１には、図示しないコードを導入させるコード導入部１０５が開口形成されている。そして、コード導入部１０５を覆うとともに、コードを導入ガイドさせるコードガイド１０６が、中央ヒンジ主体１０１に回動自在に配設されている。この自在ヒンジ１００によれば、コードが中央ヒンジ主体１０１に開口形成されたコード導入部１０５に挿通されているため、被結合部材相互の角度を頻繁に変化させても内部に配線されたコードの断線を防止することができる。また、コード導入部１０５がコードガイド１０６により覆われているため、コード導入部１０５からコードが露出することを防止することができる。
【先行技術文献】
【特許文献】
【０００４】
【特許文献１】特許第４２９６６７７号公報
【発明の開示】
【発明が解決しようとする課題】
【０００５】
ここで、自在ヒンジ１００においては、中央ヒンジ主体１０１に開口形成されたコード導入部１０５にコードを挿通させることによってコードの断線を防止しようとしているため、中央ヒンジ主体１０１の内部に配設されるコイルバネ１０７とコード導入部１０５とが重複すると、コイルバネ１０７とコードとが接触し、断線する可能性がある。従って、コイルバネ１０７とコード導入部１０５とが重複しないようにする必要があるため、中央ヒンジ主体１０１の軸方向の長さＷは、コイルバネ１０７の軸方向の長さよりも長い、コード導入部１０５が形成されていない部分１０８の長さＷ１と、コード導入部１０５の長さＷ２と、を合わせた長さとなるため、自在ヒンジ１００が大きくなり、見栄えが悪いという問題がある。また、コード導入部１０５からコードが露出することを防止するために、コードガイド１０６を設けているため、部品点数が多いという問題がある。
【０００６】
本発明の目的は、部品点数が増加することなく、コードの断線を防止可能とすることである。
【課題を解決するための手段】
【０００７】
第１の発明のヒンジは、互いの間にコードが配線される２つの被結合部材の間に介在して、前記２つの被結合部材相互の角度を任意に回動固定させるヒンジであって、一方の前記被結合部材に接続される第１ヒンジ本体と、他方の前記被結合部材に接続される接続部と、前記第１ヒンジ本体と摺動し、且つ、その両端を挟み込む第１ヒンジ部及び第２ヒンジ部と、を有する第２ヒンジ本体と、前記第１ヒンジ本体の内部に配設される付勢部材と、前記第１ヒンジ本体、及び、前記第２ヒンジ本体を回動自在に結合する結合部材と、を有し、前記接続部と前記第１ヒンジ部との間又は前記接続部と前記第２ヒンジ部との間のいずれか一方に、その内部を介して、前記接続部の内部に配線されるコードを逃がすためのコード逃がし部が設けられていることを特徴とする。
【０００８】
本発明では、第２ヒンジ本体の、接続部と第１ヒンジ部との間又は接続部と第２ヒンジ部との間のいずれか一方に、コードを逃がすためのコード逃がし部が設けられている。このため、コード逃がし部の内部にコードを配線することにより、第１ヒンジ本体の内部に配設された付勢部材とコードとが接触し、コードが断線することが防止される。
【０００９】
また、本発明では、従来のように、第１ヒンジ本体に、付勢部材と重複しないようにする必要がある、コードを導入させるための開口を設けていない。このため、第１ヒンジ本体の軸方向の長さを付勢部材の軸方向の長さ以上とする必要がないため、ヒンジが大きくなることがなく、見栄えがよい。
【００１０】
また、本発明では、コードは、コード逃がし部に覆われるため、ヒンジからコードが露出することが防止される。従って、従来のように、ヒンジからコードが露出することを防止するための部材を設ける必要がないため、部品点数が増加することがない。
【００１１】
このように、本発明によれば、部品点数が増加することなく、コードの断線を防止することができる。
【００１２】
第２の発明のヒンジは、第１の発明のヒンジにおいて、前記第１ヒンジ本体に、前記第２ヒンジ本体の回動を規制する規制部材が設けられていることを特徴とする。
【００１３】
本発明では、第１ヒンジ本体に、第２ヒンジ本体の回動を規制する規制部材が設けられている。従って、規制部材により、第２ヒンジ本体の回動範囲が規制され、コードの撓み量が抑制される。これにより、コードの断線をより確実に防止することができる。
【００１４】
第３の発明のヒンジは、第１又は第２の発明のヒンジにおいて、前記コード逃がし部は、前記接続部に向かってテーパーとなっていることを特徴とする。
【００１５】
本発明では、コード逃がし部は、接続部に向かってテーパーとなっている。従って、第１ヒンジ部、又は、第２ヒンジ部の内部から、コード逃がし部の内部を介して、接続部の内部へコードを導きやすく、ヒンジのデザイン性にも優れる。
【００１６】
第４の発明の電気スタンドは、第１〜第３の発明のいずれかのヒンジを備えることを特徴とする。
【００１７】
第１の発明のヒンジを備える電気スタンドによれば、部品点数が増加することなく、コードの断線を防止することができる。加えて、第２の発明のヒンジを備える電気スタンドによれば、コードの断線をより確実に防止することができる。加えて、第３の発明のヒンジを備える電気スタンドによれば、第１ヒンジ部、又は、第２ヒンジ部の内部から、コード逃がし部の内部を介して、接続部の内部へコードを導きやすく、ヒンジのデザイン性にも優れる。
【発明の効果】
【００１８】
本発明によれば、部品点数が増加することなく、コードの断線を防止することができる。
【図面の簡単な説明】
【００１９】
【図１】本発明の実施形態に係る電気スタンドの斜視図である。
【図２】ヒンジの概略構成を示す斜視図である。
【図３】ヒンジの概略構成を示す分解斜視図である。
【図４】ヒンジの概略構成を示す正面図である。
【図５】ヒンジの概略構成を示す分解正面図である。
【図６】従来の自在ヒンジの概略構成を示す分解斜視図である。
【発明を実施するための形態】
【００２０】
以下、本発明の実施形態について説明する。図１は、本発明の実施形態に係る電気スタンドの斜視図である。電気スタンド１は、本体部２（被結合部材）、照明部３（被結合部材）、アーム４（被結合部材）、２つのヒンジ５、６を備えており、主に、デスク上に置いて使用される、いわゆるデスクライトである。
【００２１】
本体部２は、略直方体状の樹脂からなる筐体を有している。本体部２の筐体の内部には、基板が配置されており、基板上に種々の電子部品が配置されている。また、本体部２には、図示しないＡＣアダプタが接続される雌コネクタ７が設けられており、ＡＣアダプタを介して、家庭用コンセントから電気スタンド１に電力が供給される。照明部３は、光を照射するものであり、略直方体状の樹脂からなる筐体を有している。照明部３の筐体の内部には、図示しないＬＥＤ（Light Emitting Diode）が配設されている。照明部３の筐体の下面部分には、透光性を有する部材が配置されており、ＬＥＤが発する光を透過するようになっている。
【００２２】
アーム４は、例えば、鉄などの金属により形成された円筒管であり、ヒンジ５、６を介して、それぞれ、本体部２と照明部３とに接続されている。アーム４は、ヒンジ５により、本体部２に対して、図１に示す矢印方向に回動可能となっている。また、照明部３は、ヒンジ６により、アーム４に対して、図１に示す矢印方向に回動可能となっている。アーム４の内部には、本体部２と照明部３とを接続するためのコード８が配線されている。
【００２３】
次に、ヒンジ５、６について説明する。ヒンジ５は、互いの間にコード８が配線される本体部２とアーム４との間に介在して、本体部２とアーム４相互の角度を任意に回動固定させる。ヒンジ６は、照明部３とアーム４との間に介在して、照明部３とアーム４相互の角度を任意に回動固定させる。ヒンジ５、６は、同様の構成であるため、以下では、ヒンジ５について説明する。図２〜図５に示すように、ヒンジ５は、第１ヒンジ本体１１と、第２ヒンジ本体１２と、コイルバネ１３（付勢部材）と、キャップ１４、１５と、を有している。
【００２４】
第１ヒンジ本体１１は、本体部２に接続される。第１ヒンジ本体１１は、その上部が円弧状となっており、この円弧状部分に沿って、第１ヒンジ本体１１に対して、第２ヒンジ本体１２が回動する。第１ヒンジ本体１１の円弧状部分には、第２ヒンジ本体１２の回動を規制するストッパ１６（規制部材）が設けられている。ストッパ１６は、径方向の外側に向かって突出している。ストッパ１６と第２ヒンジ本体１２とが当接することにより、第２ヒンジ本体１２の回動範囲が規制される。第１ヒンジ本体１１は、内部が中空となっており、この中空部分１１ａにコイルバネ１３が配設される。
【００２５】
第２ヒンジ本体１２は、アーム４に接続される。第２ヒンジ本体１２は、接続部１７と、右ヒンジ部１８（第１ヒンジ部）と、左ヒンジ部１９（第２ヒンジ部）と、を有している。接続部１７は、第２ヒンジ本体１２にアーム４を接続するためのものである。接続部１７には、アーム４を挿通するための孔１７ａが設けられており、この孔１７ａに挿通されたアーム４と接続部１７とが図示しないボルトで固定される。これにより、アーム４と第２ヒンジ本体１２とが接続される。
【００２６】
右ヒンジ部１８、及び、左ヒンジ部１９は、第１ヒンジ本体１１と摺動し、且つ、その両端を挟み込むように形成されている。右ヒンジ部１８、及び、左ヒンジ部１９は、それぞれ、円筒状に形成されており、中空部分１８ａ、１９ａを有している。また、右ヒンジ部１８には、後述するキャップ１４の回り止め２１が嵌め込まれる、中空部分１８ａと連続した開口１８ｂが形成されている。
【００２７】
キャップ１４は、右ヒンジ部１８の中空部分１８ａに嵌め込まれる。キャップ１５は、左ヒンジ部１９の中空部分１９ａに嵌め込まれる。キャップ１４、１５によって右ヒンジ部１８、左ヒンジ部１９が両側から覆われることにより、ヒンジ５の内部が外部から見えないようになっている。また、キャップ１５には、軸方向に延びる雄ネジ２０ａ（結合部材の一部）が設けられている。キャップ１４には、雄ネジ２０ａに螺合する雌ネジ２０ｂ（結合部材の一部）が設けられている。雄ネジ２０ａと雌ネジ２０ｂとが螺合されることにより、第１ヒンジ本体１１、及び、第２ヒンジ本体１２が回動自在に結合される。また、キャップ１４には、後述するコード逃がし部２２の一部を構成する回り止め２１が設けられている。この回り止め２１が開口１８ｂに嵌め込まれることにより、キャップ１５を回転させて、キャップ１４の雌ネジ２０ｂにキャップ１５の雄ネジ２０ａを螺合させる場合に、キャップ１４がキャップ１５とともに回転すること（共回り）が防止されている。
【００２８】
コイルバネ１３は、上述のように、第１ヒンジ本体１１内部の中空部分１１ａに配設される。コイルバネ１３は、第１ヒンジ本体１１と第２ヒンジ本体１２とを付勢し回動させるものであり、例えば、ステンレス材等のばね線材にて形成されている。
【００２９】
ここで、本実施形態では、第２ヒンジ本体１２の、接続部１７と右ヒンジ部１８との間に、コード８を逃がすためのコード逃がし部２２が設けられている。コード逃がし部２２は、右ヒンジ部１８から接続部１７に向かってテーパーとなっている部分であり、右ヒンジ部１８から接続部１７に向かうにつれてその幅が狭くなっている。そして、図４に示すように、コード８は、第１ヒンジ本体１１内部の中空部分１１ａから右ヒンジ部１８内部の中空部分１８ａ、コード逃がし部２２の内部を介して、接続部１７の内部に配線されている。
【００３０】
また、第２ヒンジ本体１２を線対称な形状とするため、コード逃がし部２２と線対称な位置、すなわち、接続部１７と左ヒンジ部１９との間に、ダミー部２３が設けられている。ダミー部２３は、コード逃がし部２２と線対称な形状とされているため、コード逃がし部２２同様、左ヒンジ部１９から接続部１７に向かってテーパーとなっており、左ヒンジ部１９から接続部１７に向かうにつれてその幅が狭くなっている。
【００３１】
図３及び図５に示すように、ヒンジ５を組み立てる場合、まず、第１ヒンジ本体１１の中空部分１１ａにコイルバネ１３を配置する。次に、第１ヒンジ本体１１が、右ヒンジ部１８と左ヒンジ部１９とによって両側から挟み込まれるように、第１ヒンジ本体１１と第２ヒンジ本体１２とを組み付ける。次に、コード８を、第１ヒンジ本体１１内部の中空部分１１ａから右ヒンジ部１８内部の中空部分１８ａ、コード逃がし部２２の内部を介して、接続部１７の内部に配線する。次に、キャップ１４を右ヒンジ部１８の中空部分１８ａに嵌め込む。そして、キャップ１５を左ヒンジ部１９の中空部分１９ａに配置するとともに、キャップ１５を回転させることにより、雄ネジ２０ａと雌ネジ２０ｂとを螺合させる。雄ネジ２０ａと雌ネジ２０ｂとを螺合させていくと、最終的には、キャップ１５が左ヒンジ部１９の中空部分１９ａに嵌め込まれる。組み立てられたヒンジ５において、第２ヒンジ本体１２は、第１ヒンジ本体１１に対して、軸方向を中心として回動可能である。
【００３２】
以上説明したヒンジ５においては、第２ヒンジ本体１２の、接続部１７と右ヒンジ部１８との間に、コード８を逃がすためのコード逃がし部２２が設けられている。このため、コード逃がし部２２の内部にコード８を配線することにより、第１ヒンジ本体１１の内部に配設されたコイルバネ１３とコード８とが接触し、コード８が断線することが防止される（図４参照）。
【００３３】
また、本実施形態では、従来のように、第１ヒンジ本体１１に、コイルバネ１３と重複しないようにする必要がある、コード８を導入させるための開口を設けていない。このため、第１ヒンジ本体１１の軸方向の長さをコイルバネ１３の軸方向の長さ以上とする必要がないため、ヒンジ５が大きくなることがなく、見栄えがよい。
【００３４】
また、本実施形態では、コード８は、コード逃がし部２２に覆われるため、ヒンジ５からコード８が露出することが防止される。従って、従来のように、ヒンジ５からコード８が露出することを防止するための部材を設ける必要がないため、部品点数が増加することがない。このように、本実施形態によれば、部品点数が増加することなく、コード８の断線を防止することができる。
【００３５】
また、本実施形態では、第１ヒンジ本体１１に、第２ヒンジ本体１２の回動を規制するストッパ１６が設けられている。従って、ストッパ１６により、第２ヒンジ本体１２の回動範囲が規制され、コード８の撓み量が抑制される。これにより、コード８の断線をより確実に防止することができる。
【００３６】
また、本実施形態では、コード逃がし部２２は、右ヒンジ部１８から接続部１７に向かってテーパーとなっている。従って、右ヒンジ部１８の内部から、コード逃がし部２２を介して、接続部１７の内部へコードを導きやすく、ヒンジ５のデザイン性にも優れる。
【００３７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３８】
上述の実施形態においては、接続部１７と右ヒンジ部１８との間に、コード逃がし部２２が設けられているが、これに限らず、コード逃がし部は、接続部１７と左ヒンジ部１９との間に設けられていてもよい。上述の実施形態においては、コード逃がし部２２と線対称なダミー部２３が設けられているため、このダミー部２３をコード逃がし部とすることも可能である。すなわち、コード８を、第１ヒンジ本体１１内部の中空部分１１ａから左ヒンジ部１９内部の中空部分１９ａ、ダミー部２３の内部を介して、接続部１７の内部に配線すれば、ダミー部２３が、コード逃がし部となる。なお、コード逃がし部が、接続部１７と右ヒンジ部１８との間、接続部１７と左ヒンジ部１９との間の、いずれに設けられていたとしても、ダミー部は、設けられていなくてもよい。
【００３９】
上述の実施形態においては、コード８が１本であるため、接続部１７と右ヒンジ部１８との間に、コード逃がし部２２を設け、接続部１７と左ヒンジ部１９との間に、ダミー部２３を設けている。例えば、本体部２と照明部３とを接続するコードが２本である場合は、１本のコードをコード逃がし部２２の内部を介して接続部１７に配線し、もう１本のコードをダミー部２３の内部を介して接続部１７に配線することで、ダミー部２３を第２のコード逃がし部とすることも可能である。すなわち、接続部１７と右ヒンジ部１８との間、接続部１７と左ヒンジ部１９との間の両方に、コード逃がし部を設けてもよい。
【００４０】
上述の実施形態においては、コード逃がし部２２は、右ヒンジ部１８から接続部１７に向かってテーパーとなっているが、これに限らず、テーパーとなっていなくてもよい。例えば、曲面状となっていてもよい。
【００４１】
上述の実施形態においては、ヒンジ５を電気スタンド１に用いる場合について説明したが、これに限らず、例えば、ヒンジ５を、アームを有する照明等の電気器具に用いることも可能である。
【符号の説明】
【００４２】
１  電気スタンド
２  本体部（被結合部材）
３  照明部（被結合部材）
４  アーム（被結合部材）
５、６  ヒンジ
８  コード
１１  第１ヒンジ本体
１２  第２ヒンジ本体
１３  コイルバネ（付勢部材）
１６  ストッパ（規制部材）
１７  接続部
１８  右ヒンジ部（第１ヒンジ部）
１９  左ヒンジ部（第２ヒンジ部）
２０ａ  雄ネジ（結合部材の一部）
２０ｂ  雌ネジ（結合部材の一部）
２１  回り止め
２２  コード逃がし部
２３  ダミー部
【図１】
2015025520.tif 000003
【図２】
2015025520.tif 000004
【図３】
2015025520.tif 000005
【図４】
2015025520.tif 000006
【図５】
2015025520.tif 000007
【図６】
2015025520.tif 000008